(57)【要約】【課題】  スライディングノズル開度位置合わせを±電圧計を監視しながら容易に実施する方法および装置を提供する。【解決手段】  タンディッシュ１のスライディングノズル２において、ホイートストンブリッジ回路７を形成する固定抵抗を有するスライディングノズル開度位置合わせ調整装置５を、ホイートストンブリッジ回路７を形成する可変抵抗を有する位置検出器５ａに接続してホイートストンブリッジ回路７を形成し、位置検出器５ａを有するスライディングノズル開閉制御装置５をスライディングノズル２に接続し、スライディングノズル２の開度を５０％になるように移動固定し、平衡状態を示すようにホイートストンブリッジ回路７の中点に取付けた±電圧計６ａの値を０Ｖに較正し、この較正済みのホイートストンブリッジ回路７を具えたスライディングノズル制御装置５を用いてスライディングノズル開度の位置合わせを調整する。【選択図】      図１
2007160380.tif 000002
【特許請求の範囲】
【請求項１】
連続鋳造装置のタンディッシュのスライディングノズルを交換する場合あるいはスライディングノズルの開度位置ずれの開度を調整する場合に、ホイートストンブリッジ回路を形成する固定抵抗器を有するスライディングノズル開度位置合わせ調整装置を、ホイートストンブリッジ回路を形成する可変抵抗を有する位置検出器に接続し、これらからホイートストンブリッジ回路を形成し、上記の位置検出器を有するスライディングノズル開閉制御装置をスライディングノズルに接続し、スライディングノズルの開度が５０％である中間位置になるようにスライディングノズルを移動して固定し、この時の平衡状態にあるホイートストンブリッジ回路を示すようにホイートストンブリッジ回路の中点に取付けた±電圧計の値を０Ｖに較正し、この較正済みのホイートストンブリッジ回路を具えたスライディングノズル制御装置を使用してスライディングノズル開度の位置合わせを調整することを特徴とする連続鋳造装置のタンディッシュのスライディングノズル開度の位置合わせ調整方法。
【請求項２】
連続鋳造装置のスライディングノズル開閉制御装置に有する位置検出器に有する可変抵抗をホイートストンブリッジ回路の可変抵抗とし、一方、スライディングノズル開度位置合わせ調整装置に２個の直列抵抗を配設しその中間からの回路に±電圧計を配設しこの端子を上記の位置検出器に有するホイートストンブリッジ回路の可変抵抗の可変接点として組み込んでホイートストンブリッジ回路を形成したことを特徴とする連続鋳造装置のタンディッシュのスライディングノズルの開度位置合わせ調整装置。
【発明の詳細な説明】
【技術分野】
【０００１】
本発明は、連続鋳造装置のタンディッシュのスライディングノズルの開閉制御を行うため、スライディングノズルの開度位置合わせの調整を正確に、かつ、短時間で行うための方法および装置に関する。
【背景技術】
【０００２】
従来、連続鋳造装置のタンディッシュのスライディングノズルの開閉は自動制御されており、図１に示すように、スライディングノズル開閉制御装置５の位置検出器５ａでスライディングノズル２の開度を検出している。この検出したスライディングノズル２の開度を用いて、スライディングノズル２の開度の制御を行っている。ところで、連続鋳造装置のタンディッシュ１のスライディングノズル２を交換する場合やスライディングノズル２の開度位置がずれて開度を調整する場合、スライディングノズル２の開度の位置検出をするためには、スライディングノズル２の開度の位置合わせが必要であり、開度が１００％の全開、開度が０％の全閉の操作を行ない、位置検出器についている開度計で数値を見て、位置検出器についている可変抵抗を調整している。
【０００３】
この調整方法は、全開時あるいは全閉時に位置検出器についている可変抵抗を調整し、開度計の指示とスライディングノズルの位置にずれがないことを確認し、ずれがある場合は、再度、全開および全閉にて可変抵抗を調整し、開度計の指示とスライディングノズルの位置のずれがなくなるまで開度位置合わせ操作を繰り返す。この可変抵抗の調整が完了したら、固定ネジで位置検出器に付いている可変抵抗を固定して可変抵抗を動かないようにする。しかし、上記のように開度位置合わせを何度も繰り返して行わなければならないため、開度位置合わせの調整に時間がかかっている。
【０００４】
しかし、スライディングノズルの開度位置合わせがうまくいかないと、スライディングノズルの自動制御を行う場合、制御指令と実物が合わなくなり、制御に誤差が生じることになる。
【０００５】
例えば、ノズルの流量をフィードバックする方法（例えば、特許文献１参照。）においては、誤差もフィードバックするので誤差修正ができる。しかし、スライディングノズルの開度を時間にて制御する方法（例えば、特許文献２参照。）においては、制御に誤差が生じる。
【０００６】
【特許文献１】特開平１０−３２８８０１号公報
【特許文献２】特開昭５３−２３４７号公報
【発明の開示】
【発明が解決しようとする課題】
【０００７】
本発明が解決しようとする課題は、上記の従来技術の問題点に鑑みて提供されたものであり、連続鋳造装置のタンディッシュのスライディングノズルの開度位置合わせを正確にかつ、短時間で行うための方法およびその装置を提供することである。
【課題を解決するための手段】
【０００８】
上記の課題を解決するための本発明の手段は、請求項１の発明では、連続鋳造装置のタンディッシュのスライディングノズルを交換する場合あるいはスライディングノズルの開度位置ずれの開度を調整する場合に、ホイートストンブリッジ回路を形成する固定抵抗器を有するスライディングノズル開度位置合わせ調整装置を、ホイートストンブリッジ回路を形成する可変抵抗を有する位置検出器に接続し、これらからホイートストンブリッジ回路を形成し、上記の位置検出器を有するスライディングノズル開閉制御装置をスライディングノズルに接続し、スライディングノズルの開度が５０％である中間位置になるようにスライディングノズルを移動して固定し、この時の平衡状態にあるホイートストンブリッジ回路を示すようにホイートストンブリッジ回路の中点に取付けた±電圧計の値を０Ｖに較正し、この較正済みのホイートストンブリッジ回路を具えたスライディングノズル制御装置を使用してスライディングノズル開度の位置合わせを調整することを特徴とする連続鋳造装置のタンディッシュのスライディングノズル開度の位置合わせ調整方法である。
【０００９】
さらに、請求項２の発明では、連続鋳造装置のスライディングノズル開閉制御装置に有する位置検出器に具備する可変抵抗をホイートストンブリッジ回路の可変抵抗とし、一方、スライディングノズル開度位置合わせ調整装置に２個の直列抵抗を配設しその中間からの回路に±電圧計を配設しこの端子を上記の位置検出器に有するホイートストンブリッジ回路の可変抵抗の可変接点として組み込んでホイートストンブリッジ回路を形成してなる連続鋳造装置のスライディングノズルの開度位置合わせ調整装置である。
【００１０】
本発明の原理は、ホイートストンブリッジ回路を応用して、図３に示すようなホイートストンブリッジ回路をスライディングノズル開閉制御装置の可変抵抗に組み合わせて形成したものであり、ホイートストンブリッジ回路が平衡したとき、中点の電圧が０Ｖになることを応用している。すなわち、スライディングノズルの開度が中間位置にあるとき、位置検出器に付いている可変抵抗が中間位置であるので、ホイートストンブリッジ回路が成立することからなっている。
【発明の効果】
【００１１】
本発明は、連続鋳造装置のタンディッシュのスライディングノズルの位置合わせにおいて、ホイートストンブリッジ回路を応用したスライディングノズル開度位置合わせ調整方法およびその装置を用いたことで、正確に短時間でしかも１回でスライディングノズルの位置あわせ調整を行うことができ、従来にない優れた効果を奏するものである。
【発明を実施するための最良の形態】
【００１２】
本発明を実施するための最良の形態について以下に図面を参照して説明する。図１に示すように、連続鋳造するための溶鋼は、タンディッシュ１からスライディングノズル２を経由して浸漬ノズル３を通って連続鋳造装置の鋳型４に注湯される。この場合、浸漬ノズル３の流量を調整するため、スライディングノズル開閉制御装置５によりスライディングノズル２の開度を制御している。スライディングノズル開閉制御装置５は、このようにスライディングノズル２の開度を調整して制御するので、スライディングノズル２の開度位置合わせができるようにするために、スライディングノズル開閉制御装置５の位置検出器５ａに可変抵抗Ｒ３および可変抵抗Ｒ４を取付けている。
【００１３】
ところで、スライディングノズル２を交換する場合や、スライディングノズル２の開度位置がずれて開度を調整する必要のある場合に、スライディングノズル２の開度の位置合わせが必要となる。この場合、図２に示すように、±電圧計６ａを取付けたスライディングノズル開度位置合わせ調整装置６を位置検出器５ａに接続し、その電源６ｂを入れ、±電圧計６ａの表示が０を指すようにスライディングノズル２の開度を５０％の中間位置に移動して固定する。すなわち、スライディングノズル２の開度がノズル全開位置で１２０ｍｍ、ノズル全閉位置で０ｍｍである場合、スライディングノズル２の開度を６０ｍｍの中間位置まで操作し、定規で中間位置であることを確認した固定する。
【００１４】
ところで、±電圧計６ａを取付けた開度位置合わせ調整装置６は、図３のように例えば１ｋΩの抵抗Ｒ１と他の１ｋΩの抵抗Ｒ２を直列に有し、一方、スライディングノズル開閉制御装置５に可変抵抗Ｒ３と他の可変抵抗Ｒ４を直列に有する。これらの抵抗Ｒ１と抵抗Ｒ２の中点から回路を取り出し、この回路に±電圧計６ａを接続してその端部を可変抵抗Ｒ３と可変抵抗Ｒ４の間の可動の接点位置７ａに接続してホイートストンブリッジ回路７に形成している。このホイートストンブリッジ回路７を使用してスライディングノズル開閉制御装置５とするものである。このスライディングノズル開度位置合わせ調整装置６のホイートストンブリッジ回路７の抵抗Ｒ１と抵抗Ｒ２と、スライディングノズル開閉制御装置５の位置検出器５ａについているホイートストンブリッジ回路７の可変抵抗Ｒ３およびＲ４が平衡状態となるように、可変抵抗の接点位置７ａを移動し、スライディングノズル開度位置合わせ調整装置６の±電圧計６ａを見て±０Ｖになるように可変抵抗Ｒ３および可変抵抗Ｒ４の抵抗値大きさを調整してスライディングノズル２の中間位置の５０％の開度と一致するように較正する。
【００１５】
このようにして較正したスライディングノズル開度位置合わせ調整装置６を使用し、それ以後はスライディングノズル２を移動しながら±電圧計６ａの電圧が０Ｖであることを確認するのみで、１回の移動により短時間で正確にスライディングノズル２の開度位置合わせの調整を行うことができることとなった。
【図面の簡単な説明】
【００１６】
【図１】連続鋳造装置およびスライディングノズル開閉制御装置の概略的な構成を示す。
【図２】スライディングノズル開度位置合わせ調整装置の外観を示す。
【図３】スライディングノズル開度位置合わせ調整装置の回路構成を示す。
【符号の説明】
【００１７】
１  タンディッシュ
２  スライディングノズル
３  浸漬ノズル
４  鋳型
５  スライディングノズル開閉制御装置
５ａ  位置検出器
６  スライディングノズル開度位置合わせ調整装置
６ａ  ±電圧計
６ｂ  電源
７  ホイートストンブリッジ回路
７ａ  接点位置
【図１】
2007160380.tif 000003
【図２】
2007160380.tif 000004
【図３】
2007160380.tif 000005